(57)【要約】【目的】  遊技盤を搬送した後の回収を容易にした遊技盤の格納器を提供する。【構成】  一辺を遊技盤（４）の上下の辺の長さとする仮想の矩形の線に沿わせた４つの枠部分（１ａ）を設け、その各上下の面にそれぞれ前記矩形の線に沿う上下の嵌入溝（２，３）を設けることによって格納枠体（１）を形成する。そして、この格納枠体（１）の一対を上下に向い合せてそれぞれ上下に向い合う前記上下の嵌入溝（２，３）に遊技盤（４）の上縁と下縁を着脱自由に嵌合して４枚の遊技盤を前記上下の格納枠体間に起立した状態に格納し、運搬に供し、その一方、使用後は前記格納枠体（１，１）同士を上下に重ねて纏め、この状態で回収する。【選択図】        図３
2006181126.tif 000002
【特許請求の範囲】
【請求項１】
一辺の長さが遊技盤の上下の一辺の長さに等しいか若しくは長い仮想の矩形の線に沿って配置される４つの枠部分を有し、これら枠部分をそれぞれ定位置に固定すると共に、該各枠部分の上面と下面にそれぞれ前記仮想の矩形の線に沿う上下の嵌入溝を形成し格納枠体を形成する一方、該格納枠体の少なくとも一対の格納枠体を上下に間隔をおいて対向させ、向い合う前記上下の嵌入溝に遊技盤の上下の縁部をそれぞれ嵌合して起立した状態に支持し、拘束格納することを特徴とした遊技盤の格納器。
【請求項２】
請求項１の記載において、格納枠体は一辺の長さが少なくとも遊技盤の上下の辺の長さに等しいか若しくは長い長さを有し、且つ所要の肉厚を有する矩形の板体にしてその４辺に沿った上面と下面に遊技盤の上下の縁部を受ける上下の嵌入溝を設けてなることを特徴とした遊技盤の格納器。
【請求項３】
請求項１又は２の記載において、４つの枠部分の上面と下面に各形成される上下の嵌入溝は格納枠体の中心に対して同一の位置に配置形成されることを特徴とした遊技盤の格納器。
【請求項４】
請求項１又は２の記載において、４つの枠部分の上面と下面に各形成される上下の嵌入溝は下の嵌入溝が上の嵌入溝の内側に位置するよう形成されることを特徴とした遊技盤の格納器。
【請求項５】
請求項１の記載において、４つの枠部分はそれぞれ独立した棒状の枠体にして該各枠体の上面と下面にそれぞれ嵌入溝を形成すると共に、枠体相互を連結フレームにより一体に連結し、仮想の矩形の線に沿った定位置に固定してなることを特徴とした遊技盤の格納器。
【請求項６】
請求項５の記載において、連結フレームは十字形に形成して放射状に延びる４本の腕の各先端に枠体を固定することを特徴とした遊技盤の格納器。
【請求項７】
請求項２の記載において、格納枠体を構成する矩形の板体の上下面の何れか一面の中央部に嵌合凸部を、他面の中央部に上記嵌合凸部を受ける嵌合凹部を形成してなることを特徴とした遊技盤の格納器。
【請求項８】
請求項５叉は６の記載において、連結フレームの中心部上面には嵌合凸部を隆設し、また中心部下面には上記嵌合凸部を受ける嵌合凹部を形成してなることを特徴とした遊技盤の格納器。
【発明の詳細な説明】
【技術分野】
【０００１】
本発明は、パチンコ機の遊技盤を保管し、或は運搬する場合に使用する格納器に関する。
【背景技術】
【０００２】
パチンコ機の本体に対して遊技盤を着脱自由に組付け使用する所謂分離式パチンコ機における場合、機種を変更したり、デザインを変更する場合、遊技盤を交換することによって実行されるが、この交換のために準備される遊技盤は単独に工場から遊技場に輸送される。このとき損傷を避けるため、また管理を容易にするため容器に格納して保管し、運搬されている。
【０００３】
従来、最も一般的な保管方法は、段ボール紙製の箱容器に単数枚乃至複数枚の遊技盤を緩衝材と共に収めて梱包しているが、この段ボール紙製の箱容器に格納する方法は、製品の安全な保管，管理ができる点で有利であるが、使用後箱容器の再使用は殆んど行われず廃棄処分されることが多く、極めて無駄に使用されている状態にある。中でも緩衝効果に優れる発泡スチロール製の緩衝材が利用される場合はその廃棄処分する際分別する必要がある等厄介なものとなり、処分の手間からも極めて不経済なものとなっている。
【０００４】
従来、この様なことから運搬時の梱包手段として内部側面又は底面に係合溝を形成したプラスチック製の包装容器が提案されている。この容器はその一対を、容器の開口部を衝き合せる如く抱き合せにして組み合わせ、上記係合溝に縁部を係合させて収めた遊技盤を格納するようにした遊技盤専用の包装容器であり、例えば特許文献１において提供されているものがその一例である。
【特許文献１】特開２００４−９７６４１号公報。特許請求の範囲、明細書の段落０００６〜００１２、段落００２５及び図面の図１〜図５。
【０００５】
上記特許文献１に開示の遊技盤運搬用包装容器は、運搬に使用したのち回収して再使用されるものとなっており、対にして使用される包装容器は開口方向を揃えて嵌め合せることにより略半分の部分が重り合って組み合わせることができることからコンパクトにすることができ、回収時の容積を縮小させて取り扱い易いものとなっている。
【発明の開示】
【発明が解決しようとする課題】
【０００６】
しかし、上記遊技盤運搬用包装容器は、これを構成するプラスチック製の包装容器の構造が複雑であること、そして大型であるため製造費が高く付くと共に、回収時に重ね合わせたとき、内部の構造が邪魔して充分な縮小が得られず嵩高になり、保管する上で無用な空間を占めることからこの空間によって運搬車両に効率的に積み込めない問題があった。
【０００７】
本発明は、上述の問題に鑑み、遊技盤を梱包する格納器を小型化して製造性を図ると共に、使用後の回収時には重ね合せにして多数個を小さな空間内に纏められるようにして効率的に回収し、保管乃至運搬に便ならしめた遊技盤の格納器を提供しようとするものである。
【課題を解決するための手段】
【０００８】
本発明は、上述の目的を達成するため開発されたものであり、その特徴とするところは一辺の長さが遊技盤の上下における一辺の長さに等しいか若しくは僅かに長い仮想の矩形の線に沿ってそれぞれ配置される４つの枠部分を有し、これら枠部分をそれぞれ定位置に固定すると共に、該各枠部分の上面と下面にそれぞれ前記仮想の矩形の線に沿って上下の嵌入溝を形成し、これにより格納枠体を形成する一方、該格納枠体の少なくとも一対の格納枠体を上下に間隔をおいて対向させ、向い合う前記上下の嵌入溝に遊技盤の上下の縁部をそれぞれ嵌合して起立した状態に支持し、拘束格納することを特徴とした遊技盤の格納器を提供するものである。
【０００９】
また本発明は、前記格納枠体は一辺の長さが少なくとも遊技盤の上下の辺の長さに等しいか若しくは長い長さを有し、且つ所要の肉厚を有する矩形の板体にしてその４辺に沿った上面と下面に遊技盤の上下の縁部を受ける上下の嵌入溝を設けてなることを特徴とした遊技盤の格納器を提供するものである。
【００１０】
また本発明は、前記４つの枠部分の上面と下面に各形成される上下の嵌入溝は格納枠体の中心に対して同一の位置に配置形成されることを特徴とした遊技盤の格納器を提供するものである。
【００１１】
また本発明は、前記４つの枠部分の上面と下面に各形成される上下の嵌入溝は下の嵌入溝が上の嵌入溝の内側に位置するよう形成されることを特徴とした遊技盤の格納器を提供するものである。
【００１２】
また本発明は、前記４つの枠部分はそれぞれ独立した棒状の枠体にして該各枠体の上面と下面にそれぞれ嵌入溝を形成すると共に、枠体相互を連結フレームにより一体に連結し、仮想の矩形の線に沿った定位置に固定してなることを特徴とした遊技盤の格納器を提供するものである。
【００１３】
また本発明は、前記連結フレームは十字形に形成して放射状に延びる４本の腕の各先端に枠体を固定することを特徴とした遊技盤の格納器を提供するものである。
【００１４】
また本発明は、前記格納枠体を構成する矩形の板体の上下面の何れか一面の中央部に嵌合凸部を設け、他面の中央部に上記嵌合凸部を受ける嵌合凹部を形成してなることを特徴とした遊技盤の格納器を提供するものである。
【００１５】
また本発明は、前記連結フレームの中心部上面には嵌合凸部を隆設し、また中心部下面には上記嵌合凸部を受ける嵌合凹部を形成してなることを特徴とした遊技盤の格納器を提供することにある。
【００１６】
上述本発明に係る格納器は、合成樹脂を材料に形成することとし、使用においては前述したように少なくとも上下において向い合せにする一対の格納枠体を用意し、この格納枠体間に遊技盤の複数個を前記上下の嵌入溝を利用して嵌め付け起立した状態に支持することにより格納することになる。
【００１７】
各格納枠体の上下の面に形成される前記上下の嵌入溝は、所要の深さにして遊技盤の上下の縁部を受け入れると共に、この遊技盤の板厚を受け入れられる溝幅を以て形成し、遊技盤の上下の縁部を確実に係合しガタ付きなく嵌め付け保持するものとする。
【００１８】
本発明の格納器において、上下の格納枠体間に保持され、起立した状態に支持される遊技盤は、同時に上下の格納枠体を連結する連結手段として組込まれるものとなり、実質的に格納器の一部を構成するものとなる。そして、格納状態においては上下の格納枠体と共同して略箱形の形態を呈することになる。
【００１９】
ここにおいて、上下の格納枠体間に収められる各遊技盤は、遊技部を形成する前面側を外に向け、各種制御装置類を組付ける背面側を内側に向けて起立させることになる。これにより、上記制御装置類を保護し、保管時或は運搬時に外部からの衝撃から保護するようにしている。
【００２０】
尚、４つの枠部分に形成される上下の嵌合溝にそれぞれ遊技盤を嵌め入れて介挿し、箱形に組んで格納形態を形成するが、本発明格納器によって４枚に満たない遊技盤を格納する場合には、抜けた部分に遊技盤と同一形状のダミー板を挿入し、抜けた部分を補強しながら安定した格納状態を作ることになる。
【００２１】
ところで、遊技盤の格納に当っては最低上下の一対をなす格納枠体の組合せを条件としこれにより使用を可能としているが、これの上方に別の格納枠体を用意し、同様に下の格納枠体との間に遊技盤を介挿するようにすると二段に組立てることが可能となる。そして更に、格納枠体を増せば３段に組立格納することが可能となるもので、この段設する数は組立の安定性、安全性並びに取扱の容易性等を考慮して決定することができ、使用者において選択することが可能になっている。
【００２２】
この様にして使用される本発明格納器は、使用後、上の格納枠体を外すことで遊技盤の取出しが可能となる。そして、格納状態を解除したのちは、格納枠体同士を積み重ねて回収し、再使用に供することになる。
この回収に際しては格納枠体の上面中央部に隆設する嵌合凸部を他の格納枠体の下面中央部に設ける嵌合凹部に嵌めて両者の横方向への移動を拘束し、多数の格納枠体を安定した状態で積み重ね、回収することができる。
【００２３】
上記嵌合凸部と嵌合凹部との嵌め合せによる格納枠体の積み重ねは安定性を図ると同時に、多数の格納枠体を取り纏める上で有利であり、回収後の格納保管、運搬時にその取扱いを飛躍的に向上させることになる。
【発明の効果】
【００２４】
上述の如く構成から本発明格納器は、遊技盤を格納する際、上下の格納枠体間に各遊技盤を挿入し、その上下の縁部を上下の面の各嵌入溝に嵌め入れることで、この格納枠体と遊技盤とが相互に共同して箱形に組立てられ自立するものとなるため、少なくとも４枚の遊技盤を一纏めにして格納することができると共に、上記格納枠体を増加することで２段，３段と段設し、更に多くの遊技盤を格納することができる。
【００２５】
しかも、上記格納において、各遊技盤は上下の縁部を格納枠体に形成する上下の嵌入溝に差し入れるだけで組立て格納できることから容易且つ迅速に格納梱包作業ができることになる。
また、この組立に併せて遊技盤の取出しに当っては上の格納枠体から外せば遊技盤の拘束を解くことができるため簡単に取り出すことができることになる。
【００２６】
また、本発明の格納器は個々の格納枠体が平面的な形状に形成されることから使用後の
回収に当って相互を積み重ねて回収することができ、嵩張ることなく回収し、保管できる利点がある。
【発明を実施するための最良の形態】
【００２７】
次に、本発明に係る遊技盤の格納器について、その実施の最良の形態を図示する実施例１として示し、その他の実施の形態を実施例２、３に基づき説明し、その特徴とするところを詳述する。
【実施例１】
【００２８】
添付する図面の図１は、本発明に係る格納器の格納枠体の斜め上方から見た斜視図であり、図２は同じく格納枠体の下面側を斜め上方から見た斜視図である。そして、図３は複数の格納枠体を用いて遊技盤を格納する状態を説明した使用状態を示す正面図であり、図４は使用後の回収状態を示す正面図である。
図中において符号１は格納枠体を示し、２は格納枠体の４辺に沿った縁部の上面に形成した上の嵌入溝であり、３は格納枠体１の下面側に形成した下の嵌入溝である。
【００２９】
ここに示す格納枠体１は、やゝ厚みを有した板状の正方形体からなっており、その一辺は格納する遊技盤４の上辺（又は下辺）の長さよりやゝ長い長さを有している。
この格納枠体１として正方形体の選択は、４枚の遊技盤４を起立した状態に保持する４つの枠部分を一体的に形成するためであって、上記格納枠体１の４辺は従って４つの枠部分１ａを形成するものとなる。
【００３０】
上記上の嵌入溝２は格納する遊技盤４の下縁部を嵌め入れるためのもので、各辺の枠部分１ａに沿って形成される１辺の溝は、遊技盤４の下縁部の全長を受け入れられる長さとし、その溝幅は遊技盤の板厚と遊技盤に組付けられる飾り部品５或は誘導レール等が下縁部に亘って設けられる場合はこれらの部品類を含む厚み分を嵌め込める幅をもって形成される。
【００３１】
上記嵌入溝２は遊技盤４の下縁部を受け入れたとき、任意に外れない深さに形成するが、好ましくは遊技盤の下縁部を差し入れたとき、起立した状態に自立する深さであることが望まれる。
尚、この実施例における４つの枠部分１ａに形成される上の嵌入溝２は、各端部を連続させて格納枠体１の全周を囲む環状形に形成しているが、各辺毎に独立した溝として形成してもよい。
【００３２】
一方、格納枠体１の下面側に形成される下の嵌入溝３は、上述した上の嵌入溝と全く同じに形成してあり、各枠部分１ａに沿って形成されたそれぞれの溝に遊技盤４の上縁部を嵌め入れ、これを固定できるようにしてある。
【００３３】
図中、６は格納枠体１の上面中央部に設けた嵌合凸部であり、７は上記嵌合凸部６に嵌め付けるため下面中央部に突設した嵌合凹部である。
この嵌合凸部６と嵌合凹部７とは格納枠体１を回収する際、互いに重ね合せに積み上げるとき位置ずれを防止するためのものであり、従って格納枠体を扁平な板体から構成した当該実施例においては、嵌合凸部６は上面から突出して設けられ、また嵌合凹部７は下面から窪んだ状態で設けられ、格納枠体同士を重ね合せにして上下の面を接面したとき、自動的に嵌り合うようにしてある。
そして、相互に嵌り合ったときガタ付きを防止するため、嵌合凸部６を台形状に形成し、これに対応させて嵌合凹部７を倒台形状の凹部に形成して一体的な嵌合が得られるようにしてある。
【００３４】
上述の様に構成された格納枠体１の最小２個の格納枠体をもって本発明の格納器は構成される。
この２個の格納枠体１による遊技盤４の格納について次に説明すると、先ず１つの格納枠体１を上面を上にして置き、４辺に沿って設けられる枠部分１ａにそれぞれ設けられる上の嵌入溝２に対して１枚づつの遊技盤４の下縁部を差し入れ、これによって各辺から遊技盤４が起立した状態に支持する。
次に、４辺に沿って起立した上記遊技盤４の上方から別の格納枠体１を臨ませ、この下面に形成する下の嵌入溝３に各遊技盤４の上縁部を差し込み、これにより上下２枚の格納枠体１，１と４枚の遊技盤４‥‥とで６面体の箱体を構成する如く組立て、格納形態とするのである。
【００３５】
図３は、１組の格納形態を組立た後、上の格納枠体を利用して更に４枚の遊技盤を格納し、また更にその上に１枚の格納枠体を加えることで４枚の遊技盤を組入れ格納した状態を示したものである。
この様に１段の状態から１枚づつ格納枠体１を加えることで２段、３段に増設することが可能であり、これにより遊技盤の格納枚数を増すことができる。
【００３６】
尚、図３においては、格納枠体と遊技盤との組合せ関係を明らかにするため前後の２面に格納される遊技盤を省略している。この図面から明らかなように遊技盤４を格納する際には遊技盤の背面側を内側にして起立させ、４枚の遊技盤が組合ったとき、背面側に装備される遊技制御回路基板等を収納する回路ボックス８等の部品類が内部に閉じ込められるようにするとよく、外部からの衝撃や、不正行為から保護することができる。
【００３７】
上記格納において、４枚の遊技盤の組入れは本格納器において最も効率が良く、また安定した格納状態が得られることになるが、３枚であったり、２枚或は１枚である場合には遊技盤に相当するダミーの板を使って補充し、安定性を得るようにするとよい。
尚、上記構成に係る格納枠体１は合成樹脂を材料に成形し、所要の強度をもたせることが求められる。
【００３８】
次に、図４は遊技盤の保管のため、或は運搬のために格納したのち、使用終了において回収する場合の姿を示したもので、回収される格納枠体１は上下に積み重ねながら上下の面に形成した嵌合凹部６と嵌合凸部７とを嵌め合せにして複数の格納枠体を取り纏め回収することになる。
従って、この状態から明らかなように多くの格納枠体を小さな空間に纏められることから、保管する場合においても、また回収し運搬する場合においても場所をとらず取り扱いが極めて容易になる。
【実施例２】
【００３９】
図５乃至図８は上述実施例１の１部を変更した第２の実施例である。この実施例は格納枠体１（本実施例において、前記実施例１と同一の部所については同一の符号を付してその説明を省略する。）の上下の面に形成する上下の嵌入溝２，３を枠体の中心部に対して内外に位相させ、遊技盤を格納したとき、起立する遊技盤の上縁部が内側に傾いて格納されるようにした例である。
【００４０】
肉厚の板状をなし、正方形状に形成される格納枠体１は、４つの枠部分１ａを形成する各端面９を上面側に向って内方に傾斜する傾斜面に形成して扁平な台形状をなすようにしてあり、各枠部分１ａの上面に形成される上の嵌入溝２をこの傾斜面の傾斜に合せて両内壁面を内側に傾けている。
【００４１】
一方、下面側に形成される下の嵌入溝３は上記上の嵌入溝２の内側に位置するようにして並行させると共に、上の嵌入溝２とは逆に両内壁面を外に向けて傾斜させ、開口方向が外向きになるようにしてある。
そして、この下の嵌入溝３を取り囲むように枠部分１ａの下面には前記端面９を延長する如く突片１０を延設している。
【００４２】
図７は上記格納枠体１によって遊技盤４を格納した状態を示しており、格納枠体１の上下の面に形成される上下の嵌入溝２，３が内外に位相して形成されることから、各枠部分１ａ間に起立した状態に格納される遊技盤は上縁部を内側に傾けて起立し、安定した状態で格納されることになる。
尚、この図７においても遊技盤４の格納状態を明らかにするため、前後に格納される２枚の遊技盤を省略している。
【００４３】
図８は格納枠体１を回収するときの収納状態を示したものである。この回収時には格納枠体相互を積み重ねと同時に、下面側の縁部に設けた突片１０を下になる格納枠体の端面９に添わせ、囲み込んで左右方向のずれを防止しながら接面状に重ね多数個の格納枠体を安定的に収納することができることになっている。
【実施例３】
【００４４】
次に、図９乃至図１２は本発明の第３の実施例を示すものである。この実施例は前記実施例１，２と異って格納枠体１を４つの枠部分１ａとこの枠部分を連結するフレーム１１によって構成した場合である。
ここにおける枠部分１ａは個々に独立しており、各枠部分１ａは前記実施例における正方形状をなす板の４辺に沿って設けられると同様に矩形をなす仮想線上に沿って配置されるものとなっている。
【００４５】
フレーム１１は各枠部分１ａを矩形の仮想線上に位置するように相互を連結するものであり、ここでは十字形に形成してそれぞれの腕１１ａの先端に棒状をなす枠部分１ａを固定し、向い合う２つの枠部分同士が並行するようにしてある。
【００４６】
上記枠部分１ａは各上面に上の嵌入溝２を設け、また下面に下の嵌入溝３を設けるようにして実質的に断面形がＨ形をなす棒状に形成してある。
尚、図示しないが前記矩形の仮想線はその一辺を遊技盤４の上下の縁部の長さより長く形成するものとし、各枠部分１ａの上下の嵌入溝２，３に遊技盤の上下の縁部を受けたとき、遊技盤の側縁部が衝合しないようにしてある。たゞ、図示されるように各枠部分１ａは上記仮想線の一辺より短く形成してあり、遊技盤の上下の縁部の中央部分を支持して格納に備えられるようにしてある。
【００４７】
図１１は格納枠体による遊技盤の格納状態を示したものである。上下に対向させた２つの格納枠体の各枠部分１ａに形成する上下の嵌入溝２，３に遊技盤の上下の縁部を嵌め入れ、４枚の遊技盤を起立させ、四方を囲むように構成して格納状態を作ることになる。
【００４８】
図中、符号１２は上記格納において上下の格納枠体の結合を強化するためフレーム１１の中心部間に渡した補助支柱である。
この補助支柱１２はフレーム１１の連結中心部１３の上面に突設する連結凸部１４に下端の凹部（図示せず）を嵌め付け、下面に形成する連結凹部１５に上端部を突き入れて上下の格納枠体間に介挿され、結合を強化することになる。
尚、本実施例においても４つの枠部分に４枚の遊技盤を起立させることになるが、図面には左右において対向する２枚を表わし、前後の２枚は省略している。
【００４９】
図１２は上記構成された格納枠体１の回収時における収納状態を示したもので、フレームの連結中心部１３の上下に形成した連結凸部１４と連結凹部１５を嵌め合せて上下の格納枠体を重ね合せ収納することになる。
このとき、上下に積み重なる格納枠体の各枠部分１ａが順序よく重なり合う関係が保てるように、上記連結凸部１４を矩形の柱状に、そして連結凹部１５を矩形の凹部として形成し、連結の向きが揃えられるようにしてある。
【００５０】
以上、本発明を各実施例に基き説明したが、遊技盤４を格納する際は上下に格納枠体を向い合せにしてそれぞれの上下の嵌入溝２，３に遊技盤の上下の縁部を嵌め込むだけで格納することができるため極めて容易に格納できる利点がある。しかも、上方の格納枠体の上に格納枠体を加えることによって遊技盤を積み重ね複数段に格納することができるため多数個の遊技盤の格納に適するものとなっている。
【００５１】
また各実施例において明らかな様に、格納枠体は略扁平な枠体として形成されることから重ね合せに収納することが可能であると共に、各格納枠体の内部は元より相互の間に無用な空間を作ることなく収納できることから保管，運搬時に場所をとらず有利である。
【００５２】
勿論、上記格納枠体は欠く実施例において説明したように上下の面に上下の嵌入溝を形成するだけの扁平な枠体となっていることから、合成樹脂を材料としての成形性に優れ、量産にも優れることから廉価に提供できる利点もある。
【図面の簡単な説明】
【００５３】
【図１】本発明に係る格納器の第１の実施例における格納枠体の上方から見た状態の斜視図。
【図２】第１の実施例における格納枠体の下方から見た状態の斜視図。
【図３】第１の実施例の格納器による遊技盤の格納状態を説明する正面図。
【図４】第１の実施例の格納器の回収状態を説明する正面図。
【図５】第２の実施例における格納枠体の上方から見た状態の斜視図。
【図６】第２の実施例における格納枠体の下方から見た状態の斜視図。
【図７】第２の実施例の格納器による遊技盤の格納状態を説明する正面図。
【図８】第２の実施例の格納器の回収状態を説明する正面図。
【図９】第３の実施例における格納枠体の上方から見た状態の斜視図。
【図１０】第３の実施例における格納枠体の下方から見た状態の斜視図。
【図１１】第３の実施例の格納器による遊技盤の格納状態を説明する中央縦断正面図。
【図１２】第３の実施例の格納器の回収状態を説明する中央縦断正面図である。
【符号の説明】
【００５４】
１        格納器を構成する格納枠体
１ａ      格納枠体によって定位置に設定される枠部分  
２        上の嵌入溝
３        下の嵌入溝
４        遊技盤
６        嵌合凸部
７        嵌合凹部
１１      枠部分を連結するフレーム
１４      嵌合凸部
１５      嵌合凹部
【図１】
2006181126.tif 000003
【図２】
2006181126.tif 000004
【図３】
2006181126.tif 000005
【図４】
2006181126.tif 000006
【図５】
2006181126.tif 000007
【図６】
2006181126.tif 000008
【図７】
2006181126.tif 000009
【図８】
2006181126.tif 000010
【図９】
2006181126.tif 000011
【図１０】
2006181126.tif 000012
【図１１】
2006181126.tif 000013
【図１２】
2006181126.tif 000014